(57)【特許請求の範囲】
【請求項１】
信号を送信するための方法であって、前記方法は、
送信ポイントによって、複数の集約キャリアのうちの第1のキャリアを介して、第1の直交周波数分割多重（OFDM）ベースの信号を送信するステップと、
前記送信ポイントによって、前記複数の集約キャリアのうちの第2のキャリアを介して、第2のOFDMベースの信号を送信するステップとを含み、
前記第1のキャリアは、numerologyの第1のセットに関連付けられた第1のキャリア帯域幅を有し、
前記第2のキャリアは、numerologyの第2のセットに関連付けられた第2のキャリア帯域幅を有し、
numerologyの前記第1のセットは、第1のサブキャリア間隔に関連付けられた第1のnumerologyおよび前記第1のサブキャリア間隔とは異なる第2のサブキャリア間隔と関連付けられた第2のnumerologyを含み、
numerologyの前記第2のセットは、第3のサブキャリア間隔に関連付けられた第3のnumerologyを含み、
前記第1のキャリア帯域幅は、前記第2のキャリア帯域幅よりも広く、前記第1のサブキャリア間隔と前記第2のサブキャリア間隔の両方は、前記第3のサブキャリア間隔よりも大きい、方法。
【請求項２】
前記第2のキャリアは5 MHzのキャリア帯域幅を有する、請求項1に記載の方法。
【請求項３】
前記第1のキャリアは5 MHzよりも大きいキャリア帯域幅を有し、前記第1のサブキャリア間隔および前記第2のサブキャリア間隔は、それぞれ30 kHzおよび60 kHzである、請求項1または2に記載の方法。
【請求項４】
前記第1のキャリアは、10 MHz、15 MHzまたは20 MHzのキャリア帯域幅を有し、numerologyの前記第1のセットは、15 kHzの第4のサブキャリア間隔または120 kHzの第5のサブキャリア間隔をさらに含む、請求項1乃至3のいずれか1項に記載の方法。
【請求項５】
前記第1のキャリアおよび前記第2のキャリアは、前記第1のサブキャリア間隔、前記第2のサブキャリア間隔または前記第3のサブキャリア間隔のうちのいずれかの20倍以下のガードバンドによって分離される、請求項1乃至4のいずれか1項に記載の方法。
【請求項６】
前記ガードバンドは、前記第1のサブキャリア間隔、前記第2のサブキャリア間隔または前記第3のサブキャリア間隔のうちのいずれかの10倍、前記第1のサブキャリア間隔、前記第2のサブキャリア間隔または前記第3のサブキャリア間隔のうちのいずれかの5倍または前記第1のサブキャリア間隔、前記第2のサブキャリア間隔または前記第3のサブキャリア間隔のうちのいずれかの3倍以下であるか、または、前記ガードバンドは、前記第1のサブキャリア間隔、前記第2のサブキャリア間隔または前記第3のサブキャリア間隔のうちのいずれかと等しい、請求項5に記載の方法。
【請求項７】
numerologyの前記第1のセットは、第1の送信時間間隔（TTI）および第2のTTIを含み、numerologyの前記第2のセットは、第3のTTIを含み、前記第1のTTIおよび前記第2のTTIの両方は、前記第3のTTIよりも短い、請求項1乃至6のいずれか1項に記載の方法。
【請求項８】
プロセッサと、
前記プロセッサによる実行のためのプログラムを記憶するコンピュータ可読記憶媒体とを含む送信ポイントであって、前記プログラムは、請求項1乃至7のいずれか1項に記載のステップを実行するための命令を含む、送信ポイント。
【請求項９】
信号を受信するための方法であって、前記方法は、
受信ポイントによって、複数の集約キャリアのうちの第1のキャリアを介して、第1の直交周波数分割多重（OFDM）ベースの信号を受信するステップと、
前記受信ポイントによって、前記複数の集約キャリアのうちの第2のキャリアを介して、第2のOFDMベースの信号を受信するステップとを含み、
前記第1のキャリアは、numerologyの第1のセットに関連付けられた第1のキャリア帯域幅を有し、
前記第2のキャリアは、numerologyの第2のセットに関連付けられた第2のキャリア帯域幅を有し、
numerologyの前記第1のセットは、第1のサブキャリア間隔に関連付けられた第1のnumerologyおよび前記第1のサブキャリア間隔とは異なる第2のサブキャリア間隔と関連付けられた第2のnumerologyを含み、
numerologyの前記第2のセットは、第3のサブキャリア間隔に関連付けられた第3のnumerologyを含み、
前記第1のキャリア帯域幅は、前記第2のキャリア帯域幅よりも広く、前記第1のサブキャリア間隔と前記第2のサブキャリア間隔の両方は、前記第3のサブキャリア間隔よりも大きい、方法。
【請求項１０】
前記第2のキャリアは5 MHzのキャリア帯域幅を有する、請求項9に記載の方法。
【請求項１１】
前記第1のキャリアは5 MHzよりも大きいキャリア帯域幅を有し、前記第1のサブキャリア間隔および前記第2のサブキャリア間隔は、それぞれ30 kHzおよび60 kHzである、請求項9または10に記載の方法。
【請求項１２】
前記第1のキャリアは、10 MHz、15 MHzまたは20 MHzのキャリア帯域幅を有し、numerologyの前記第1のセットは、15 kHzの第4のサブキャリア間隔または120 kHzの第5のサブキャリア間隔をさらに含む、請求項9乃至11のいずれか1項に記載の方法。
【請求項１３】
前記第1のキャリアおよび前記第2のキャリアは、前記第1のサブキャリア間隔、前記第2のサブキャリア間隔または前記第3のサブキャリア間隔のうちのいずれか1つの20倍以下のガードバンドによって分離される、請求項9乃至12のいずれか1項に記載の方法。
【請求項１４】
前記ガードバンドは、前記第1のサブキャリア間隔、前記第2のサブキャリア間隔または前記第3のサブキャリア間隔のうちのいずれかの10倍、前記第1のサブキャリア間隔、前記第2のサブキャリア間隔または前記第3のサブキャリア間隔のうちのいずれかの5倍または前記第1のサブキャリア間隔、前記第2のサブキャリア間隔または前記第3のサブキャリア間隔のうちのいずれかの3倍以下であるか、または、前記ガードバンドは、前記第1のサブキャリア間隔、前記第2のサブキャリア間隔または前記第3のサブキャリア間隔のうちのいずれかと等しい、請求項13に記載の方法。
【請求項１５】
numerologyの前記第1のセットは、第1の送信時間間隔（TTI）および第2のTTIを含み、numerologyの前記第2のセットは、第3のTTIを含み、前記第1のTTIおよび前記第2のTTIの両方は、前記第3のTTIよりも短い、請求項9乃至14のいずれか1項に記載の方法。
【請求項１６】
プロセッサと、
前記プロセッサによる実行のためのプログラムを記憶するコンピュータ可読記憶媒体とを含む受信ポイントであって、前記プログラムは、請求項9乃至15のいずれか1項に記載のステップを実行するための命令を含む、受信ポイント。
【発明の詳細な説明】
【技術分野】
【０００１】
本特許出願は、2015年3月31日出願された、“System and Method of Waveform Design for Operation Bandwidth Extension”と題する、米国仮出願シリアル番号62/141,051に対して優先権を主張する、2015年11月4日に出願された、“System and Method of Waveform Design for Operation Bandwidth Extension”と題する、米国特許出願シリアル番号14/932,857に対して優先権を主張し、その両方が、ここで、その全体が再現されるかのように、本明細書において参照によって組み込まれる。
【０００２】
本発明は、無線通信のためのシステムおよび方法に関し、詳細な実施形態においては、動作帯域幅拡張のための波形設計のシステムおよび方法に関する。
【背景技術】
【０００３】
個々のモバイルデバイスに高いスループットレートを提供して、システム容量をさらに高めるために、次世代無線ネットワークは、従来のロングタームエボリューション（LTE）ネットワークで使用される20メガヘルツ（MHz）キャリアよりもはるかに広い帯域幅割り当てを使用する傾向にある。いくつかの場合では、帯域幅割り当ては、中心周波数が6ギガヘルツ（GHz）を下回る、または上回るキャリアに対して100 MHzを超過し得る。このような大きな帯域幅割り当てをサポートするための技術が必要とされる。
【０００４】
スループットを高めるための1つの技術はキャリアアグリゲーションであり、これは、単一のモバイルデバイスにデータを通信するために複数のキャリアを使用する。しかしながら、従来の直交周波数分割多重化（OFDM）キャリアアグリゲーションは、スケーラブルサンプリング周波数および高速フーリエ変換（FFT）サイズを利用し、より広い帯域幅割り当てがより高いサンプリング周波数およびより大きいFFTサイズを利用することを意味し、これは、計算の複雑性を増加させる。加えて、従来のOFDMキャリアアグリゲーションは、同じサブキャリア間隔が、集約されたキャリアの各々のために使用されることを要求する。結果として、従来のOFDMキャリアアグリゲーションは、20 MHzを超える帯域幅割り当てには適していない可能性がある。
【発明の概要】
【課題を解決するための手段】
【０００５】
技術的な利点は、動作帯域幅拡張のための波形設計のシステムおよび方法を記載する、本開示の実施形態によって一般に実現される。
【０００６】
実施形態に従って、信号を送信するための方法が提供される。この例では、方法は、キャリアの第1の周波数サブバンドを介して、第1の直交周波数分割多重（OFDM）ベースの信号を送信し、キャリアの第2の周波数サブバンドを介して、第2のOFDMベースの信号を送信するステップを含む。第1の周波数サブバンドは、第1の帯域幅および第1の帯域幅に基づく第1のnumerologyを有する。第2の周波数サブバンドは、第2の帯域幅および第2の帯域幅に基づく第2のnumerologyを有する。この方法を実行するための装置がまた提供される。
【０００７】
別の実施形態に従って、信号を受信するための方法が提供される。この例では、方法は、キャリアの第1の周波数サブバンドを介して、第1の直交周波数分割多重（OFDM）ベースの信号を受信し、キャリアの第2の周波数サブバンドを介して、第2のOFDMベースの信号を受信するステップを含む。第1の周波数サブバンドは、第1の帯域幅および第1の帯域幅に基づく第1のnumerologyを有し、第2の周波数サブバンドは、第2の帯域幅および第2の帯域幅に基づく第2のnumerologyを有する。この方法を実行するための装置がまた提供される。
【図面の簡単な説明】
【０００８】
本発明およびその利点のより完全な理解のために、ここで、以下を含む添付図面と併せて行われる以下の説明に対して参照が行われる。
【０００９】
【図１】図1は、実施形態の無線ネットワークの図を示す。
【図２Ａ】図2Aは、フィルタリングされたOFDM（f-OFDM）信号が生成される方法を描く図である。
【図２Ｂ】図2Bは、フィルタリングされたOFDM（f-OFDM）信号が生成される方法を描く図である。
【図３Ａ】図3Aは、f-OFDM信号が生成される方法を描く追加の図である。
【図３Ｂ】図3Bは、f-OFDM信号が生成される方法を描く追加の図である。
【図４】図4は、f-OFDM信号を通信するための実施形態の方法のフローチャートである。
【図５】図5は、従来のOFDMキャリアアグリゲーションフォーマットの図である。
【図６】図6は、従来のOFDMキャリアアグリゲーションフォーマットの別の図である。
【図７】図7は、従来のOFDM拡張キャリアフォーマットの図である。
【図８】図8は、連続する周波数サブバンドを介して送信されるf-OFDM信号の図である。
【図９】図9は、連続する周波数サブバンドを介して送信されるf-OFDM信号の別の図である。
【図１０】図10は、セルラ通信システムのための事前に定義されたキャリアタイプのセットの図である。
【図１１】図11は、実施形態のf-OFDMキャリアアグリゲーションフォーマットの図である。
【図１２】図12は、別の実施形態のf-OFDMキャリアアグリゲーションフォーマットの図である。
【図１３】図13は、さらに別の実施形態のf-OFDMキャリアアグリゲーションフォーマットの図である。
【図１４】図14は、さらに別の実施形態のf-OFDMキャリアアグリゲーションフォーマットの図である。
【図１５】図15は、ミリメートル波（mmW）通信システムのための事前に定義されたキャリアタイプのセットの図である。
【図１６】図16は、mmW通信システムのための事前に定義されたサブバンドタイプのセットの図である。
【図１７】図17は、さらに別の実施形態のf-OFDMキャリアアグリゲーションフォーマットの図である。
【図１８】図18は、さらに別の実施形態のf-OFDMキャリアアグリゲーションフォーマットの図である。
【図１９】図19は、実施形態の処理システムの図である。
【図２０】図20は、実施形態のトランシーバの図である。
【００１０】
異なる図における対応する数字および記号は、他に示されない限り、対応する部分を一般に指す。図は、実施形態の関連する態様を明確に示すために描かれており、必ずしも縮尺通りに描かれていない。
【発明を実施するための形態】
【００１１】
実施形態の構成、製造および使用が以下で詳細に議論される。しかしながら、本発明は、多種多様な具体的な文脈において具現化されることができる、多くの適用可能な発明概念を提供することは理解されるべきである。議論される具体的な実施形態は、発明を行うおよび使用するための具体的な方法の単なる例示であり、発明の範囲を限定するものではない。本明細書で言及されるように、周波数サブバンドは、キャリア全体またはキャリアの一部を含んでよい。従って、異なる周波数サブバンドは、異なるキャリアまたは同じキャリアの一部であってよい。
【００１２】
上述のように、従来のOFDMキャリアアグリゲーションは、スケーラブルサンプリング周波数およびFFTサイズを利用する。結果として、このような大きな帯域幅割り当てをサポートするために必要とされる高いサンプリング周波数および大きなFFTサイズは、従来のOFDMキャリアアグリゲーションの実施複雑性を大幅に増加させ得るため、従来のOFDMキャリアアグリゲーションは、20 MHzを超える帯域幅割り当てには適していないことがある。また、従来のOFDMキャリアアグリゲーションは、同じ物理層パラメータが、所定のキャリアを介して、OFDM信号を通信するために使用されることを必要とする。信号を通信するために使用される物理層パラメータのセットは、信号の“numerology”と総称して呼ばれ、信号を送信するために使用される送信時間間隔（TTI）、信号によって搬送されるシンボルのシンボル持続時間、信号によって搬送されるシンボルのサイクリックプレフィックス（CP）長および/またはそれを介して信号が送信されるサブキャリア周波数間のサブキャリア間隔の組合せまたはサブセットを含んでよい。異なる物理層パラメータは、異なるトラフィックタイプを通信するためにより適し得る。例えば、短いTTIは、待ち時間を低減することができ、従って、遅延に敏感なトラフィックにより適している。より長いTTIは、スケジューリングシグナリングオーバヘッドを低減することができ、従って、遅延許容トラフィックにより適している。従来のOFDMキャリアアグリゲーションは、所定のキャリアを介して通信される全ての信号に対して、同じnumerologyを使用するため、従来のOFDMキャリアアグリゲーションが、同じキャリアを介して、異なるトラフィックタイプを輸送するために使用されるとき、ネットワークおよび/またはユーザは、帯域幅利用効率および/または性能における低下を経験し得る。さらに、従来のOFDMキャリアアグリゲーションは、キャリア間干渉を緩和するために、サブキャリア間隔の少なくとも50倍であるガードバンドに依存し、これは、信号に著しいオーバヘッドを加える。従って、従来のOFDMキャリアアグリゲーションに対する効率的な代替が所望される。
【００１３】
本開示の実施形態は、所定のキャリアの異なる周波数サブバンドを介して、f-OFDM信号またはシングルキャリア周波数分割多元接続（SC-FDMA）信号を通信するために異なるnumerologyを使用し、これは、f-OFDMまたはSC-FDMA信号が、多様なトラフィックを効率的にサポートすることを可能にする。例えば、遅延に敏感なトラフィック（例えば、音声、モバイルゲーム）は、待ち時間を低減するために、比較的短いTTIを持つf-OFDM信号を介して通信されてよく、且つ、遅延許容トラフィック（例えば、電子メール、テキストメッセージ）は、帯域幅利用効率を改善するために、比較的長いTTIを持つf-OFDM信号を介して通信されてよい。加えて、f-OFDM信号を生成するために使用されるパルス整形デジタルフィルタは、受信機が、受信時に隣接するf-OFDM信号間の干渉を緩和することを可能にすることができ、それによって、ガードバンドに依存することなく、f-OFDM信号が、連続するキャリアを介して通信されることを可能にする。いくつかの実施形態では、f-OFDMまたはSC-FDMA信号のnumerologyは、それを介してf-OFDMまたはSC-FDMA信号が送信される周波数サブバンドの帯域幅に依存する。例えば、より広い周波数サブバンドを介して通信されるf-OFDM/SC-FDMA信号は、典型的には、より狭い周波数サブバンドを介して通信されるf-OFDM/SC-FDMA信号よりもより広いサブキャリア間隔、より短いシンボル持続時間、より短いTTI長およびより短いサイクリックプレフィックスを有してよい。例えば、異なる20メガヘルツ（MHz）サブバンドを介して通信されるf-OFDM/SC-FDMA信号は、異なるnumerologyを有してよい。これらのおよび他の態様は、以下でさらに詳細に説明される。本開示の多くは、f-OFDM信号を通信するための実施形態を説明するが、これらの実施形態は、SC-FDMA信号を含む、任意のOFDMベースの信号を通信するために適用されることもまたできることは理解されるべきである。
【００１４】
図1は、データを通信するための無線ネットワーク100の図である。無線ネットワーク100は、カバレッジエリア101を有する基地局110、複数のモバイルデバイス120およびバックホールネットワーク130を含む。示されるように、基地局110は、モバイルデバイス120とのアップリンク（破線）および/またはダウンリンク（点線）接続を確立し、これは、モバイルデバイス120から基地局110にデータを搬送し、且つ、その逆の役割を果たす。アップリンク/ダウンリンク接続を介して搬送されるデータは、モバイルデバイス120間で通信されるデータ、並びに、バックホールネットワーク130経由で、リモートエンド（図示せず）に/リモートエンドから通信されるデータを含んでよい。本明細書で使用されるように、“基地局”という用語は、進化型NodeB（eNB）、マクロセル、フェムトセル、Wi-Fiアクセスポイント（AP）または他の無線対応デバイス等の、ネットワークへの無線アクセスを提供するように構成される任意のコンポーネント（またはコンポーネントの集合）を指す。基地局は、例えば、ロングタームエボリューション（LTE）、LTEアドバンスド（LTE-A）、高速パケットアクセス（HSPA）、Wi-Fi 802.11a/b/g/n/ac等の、1つまたは複数の無線通信プロトコルに従って無線アクセスを提供してよい。本明細書で使用されるように、“モバイルデバイス”という用語は、基地局との無線接続を確立することができる任意のコンポーネント（またはコンポーネントの集合）を指す。“モバイルデバイス”、“ユーザ機器（UE）”および“モバイル局（STA）”という用語は、本開示を通して互換的に使用される。いくつかの実施形態では、ネットワーク100は、リレー、低電力ノード等の、様々な他の無線デバイスを含んでよい。
【００１５】
f-OFDM信号は、パルス整形デジタルフィルタをOFDM信号に適用することによって生成される。f-OFDM信号を生成するために使用されるパルス整形デジタルフィルタは、本開示を通して、f-OFDMフィルタと呼ばれる。図2Aは、f-OFDMフィルタ201、202を、OFDM信号210、220に適用することによって生成される方法を示す図である。示されるように、OFDM信号210は、Nメガヘルツ（MHz）周波数サブバンドに及び、OFDM信号220は、M MHz周波数サブバンドに及び、ここで、NおよびMは正の整数であり、Nは、M以上である。図2Bは、f-OFDMフィルタ201、202を、OFDM信号210、220に適用することによって生じるf-OFDM信号211、221を示す図である。いくつかの実施形態では、f-OFDMフィルタ201、202は、異なるnumerologyを有するf-OFDM信号を生成し、この場合、f-OFDM信号210およびf-OFDM信号220は、互いに異なるnumerologyを示す。f-OFDM信号211、221のnumerologyは、それぞれ、N MHz周波数サブバンドおよびM MHz周波数サブバンドの帯域幅に依存してよい。
【００１６】
いくつかの実施形態では、単一のf-OFDMフィルタは、複数のf-OFDM信号を生成するために使用されてよい。図3Aは、f-OFDM信号が、f-OFDM フィルタ301、302をOFDM信号310、320、330、340、350に適用することによって生成される方法を示す図である。図3Bは、f-OFDMフィルタ301、302をOFDM信号310、320、330、340、350に適用することによって生じるf-OFDM信号311、321、331、342、352を示す図である。具体的には、f-OFDM信号311、321、331は、f-OFDMフィルタ301をOFDM信号310、320、330に（それぞれ）適用することによって生成され、f-OFDM信号342、352は、f-OFDMフィルタ302をOFDM信号340、350に（それぞれ）適用することによって生成される。同じf-OFDMフィルタから生成されるf-OFDM信号は、同じnumerologyを有し得る。従って、f-OFDM信号311、321、331は、互いに同じnumerologyを有し、一方でf-OFDM信号342、352は、互いに同じnumerologyを有する。異なるf-OFDMフィルタから生成されるf-OFDM信号は、異なるnumerologyを有し得る。従って、f-OFDM信号311、321、331は、f-OFDM信号342、352とは異なるnumerologyを有し得る。
【００１７】
図4は、送信ポイントによって実行され得るような、異なる周波数サブバンドを介して、異なるnumerologyを有するf-OFDM信号を通信するための実施形態の方法400のフローチャートである。送信ポイントは、ネットワーク側デバイス（例えば、基地局）およびユーザ側デバイス（例えば、UE）を含む、無線信号を送信する任意のデバイスであってよい。ステップ410では、送信ポイントは、第1のf-OFDMフィルタを第1のOFDM信号に適用することによって、第1のf-OFDM信号を生成する。ステップ420では、送信ポイントは、第2のf-OFDMフィルタを第2のOFDM信号に適用することによって、第2のf-OFDM信号を生成する。ステップ430では、送信ポイントは、第1の周波数サブバンドを介して、第1のf-OFDM信号を送信し、一方で、第2の周波数サブバンドを介して、第2のf-OFDM信号を送信する。第1の周波数サブバンドは、第2の周波数サブバンドとは異なる帯域幅を有する。いくつかの実施形態では、f-OFDM信号は、それを介してf-OFDM信号が送信されるそれぞれの周波数サブバンドの帯域幅に基づくnumerologyを有し、この場合、第1のf-OFDM信号は、第2のf-OFDM信号とは異なるnumerologyを有する。
【００１８】
従来のOFDMキャリアアグリゲーションは、UEに提供される全体的なスループットを増加させるために、複数のキャリアを介して、単一のUEにデータを通信する。従来のOFDMキャリアアグリゲーションはまた、システム容量を高めるために、複数のキャリアを介して、複数のUEにデータを通信してもよい。上で議論されるように、従来のOFDMキャリアアグリゲーションは、キャリアの各々を介して通信される信号に対して同じnumerologyを利用し、閾値を下回るOFDM信号間の干渉を緩和するために、連続するキャリアが、対応するサブキャリア間隔の少なくとも50倍のガードバンドによって分離されることを必要とする。図5は、従来のOFDMキャリアアグリゲーション方式に従って、連続するK MHzキャリア（Kは整数である）を介して送信される、OFDM信号510、520の図である。示されるように、K MHzキャリアは、周波数領域において連続するキャリアであり、ガードバンド515によって分離される。従来のOFDMキャリアアグリゲーションは、ガードバンド515が、K MHzキャリアのサブキャリア間隔の少なくとも50倍であることを必要とする。ガードバンド515は、OFDM信号510、520間の干渉を緩和する。ガードバンド515の相対的なサイズは、K MHzキャリアの帯域幅に依存する。例えば、1.25メガヘルツ（MHz）OFDMキャリアは、1.25 MHzキャリアのサブキャリア間隔の52倍であるガードバンドによって分離されなければならず、より大きい帯域幅OFDMキャリア（例えば、2.5 MHz, 5 MHz, … 20 MHz）は、対応してより広いガードバンドによって分離されなければならない。従来のOFDMキャリアアグリゲーションはまた、OFDM信号510、520が、同じnumerologyを使用して送信されることを必要とする。従来のOFDMキャリアアグリゲーションを使用して通信されるOFDM信号のためのnumerologyは、以下の表1に列挙される：
【００１９】
【表１】
0006584522.tif 000002
【００２０】
従来のOFDMキャリアアグリゲーションはまた、非連続のキャリアを介してデータを通信してよい。図6は、従来のOFDMキャリアアグリゲーション方式に従って、非連続のK MHzキャリア（Kは整数である）を介して送信される、OFDM信号610、620の図である。連続するキャリアを介して通信されるOFDM信号と同様に、従来のOFDMキャリアアグリゲーションは、非連続のキャリアを介して通信されるOFDM信号610、620が、同じnumerologyを使用することを必要とする。
【００２１】
従来のOFDMキャリアアグリゲーションに対する1つの代替は、20 MHzを超える帯域幅を有する拡張キャリアを介して、OFDM信号を送信することであり、これは、第4世代ロングタームエボリューション（LTE）ネットワークにおいて利用可能な最大キャリア帯域幅である。図7は、L MHzキャリアを介して送信されるOFDM信号710の図である（Lは、20よりも大きい整数である）。このアプローチは、従来のOFDMキャリアアグリゲーションにおいて利用されるガードバンドに関連するオーバヘッドを回避するが、拡張キャリア（例えば、20 MHzよりも大きい）を介してOFDM信号を送信することはまた、より高いサンプリング周波数およびより大きい高速フーリエ変換（FFT）サイズを必要とする等、欠点を有する。加えて、拡張キャリアを介して送信されるOFDM信号は、OFDM信号によって搬送される全てのデータに対して、依然として単一のnumerologyを利用し、従って、異なるトラフィックタイプを搬送するときに、低減された帯域幅利用効率および/または性能を示す。
【００２２】
本開示の実施形態は、キャリアの1つのサブキャリア間隔の20倍未満のガードバンドによって分離される連続する周波数サブバンドを介して、f-OFDM信号を通信する。図8は、周波数サブバンドの1つのサブキャリア間隔の20倍未満のガードバンド815によって分離される連続する周波数サブバンドを介して送信される、f-OFDM信号810、820の図である。1つの実施形態では、ガードバンド815は、f-OFDM信号810、820の1つのサブキャリア間隔の10倍以下である。別の実施形態では、ガードバンド815は、f-OFDM信号810、820の1つのサブキャリア間隔の5倍以下である。さらに別の実施形態では、ガードバンド815は、f-OFDM信号810、820の1つのサブキャリア間隔の3倍以下である。さらに別の実施形態では、ガードバンド815は、f-OFDM信号810、820の1つのサブキャリア間隔以下である。
【００２３】
f-OFDM信号810、820は、同じ受信機（例えば、同じUE）に送信されてよく、または異なる受信機に送信されてよい。それを介してf-OFDM信号810、820が送信されるそれぞれの周波数サブバンドは、同じサブキャリア間隔を有しても、異なるサブキャリア間隔を有してもよい。それぞれの周波数サブバンドが異なるサブキャリア間隔を有するとき、ガードバンド815は、2つのサブキャリア間隔のうちのより広い方の20倍未満である。いくつかの実施形態では、ガードバンド815はまた、2つのサブキャリア間隔のより狭い方の20倍未満である。他の実施形態では、ガードバンド815は、2つのサブキャリア間隔のより広い方未満であるが、2つのサブキャリア間隔のより狭い方の20倍よりも大きい。
【００２４】
本開示の実施形態は、ガードバンドによって分離されない連続する周波数サブバンドを介して、f-OFDM信号を通信する。図9は、ガードバンドによって分離されない連続する周波数サブバンドを介して送信されるf-OFDM信号910、920の図である。f-OFDM信号910、920は、同じ受信機に、または異なる受信機に送信されてよい。
【００２５】
いくつかの実施形態では、f-OFDM信号は、集約キャリアを介して通信される。このような実施形態では、無線ネットワークについてキャリア帯域幅の事前に定義されたセットがあってよく、各キャリア帯域幅は1つまたは複数の事前に定義されたnumerologyを有する。図10は、セルラ通信システムのための事前に定義されたキャリアタイプのセット1000の図である。この例では、事前に定義されたキャリアタイプのセット1000は、2.5 MHzの帯域幅を持つ第1のキャリアタイプ（Type-1）と、5 MHzの帯域幅を持つ第2のキャリアタイプ（Type-2）と、10 MHzの帯域幅を持つ第3のキャリアタイプ（Type-3）と、20 MHzの帯域幅を持つ第4のキャリアタイプ（Type-4）とを含む。他の例もまた可能である。事前に定義されたキャリアタイプのセット1000に関するnumerologyが、表2に列挙される。
【００２６】
【表２】
0006584522.tif 000003
【００２７】
図11-14は、事前に定義されたキャリア帯域幅のセット1000から生成された様々なf-OFDMキャリアアグリゲーションフォーマットの図である。図11は、周波数領域において連続している5個の20 MHzキャリアを含む100 MHz f-OFDMキャリアアグリゲーションフォーマットの図である。図12は、周波数領域において連続している、4個の20 MHzキャリア、1個の10 MHzキャリア、2個の5 MHzキャリアを含む100 MHz f-OFDMキャリアアグリゲーションフォーマットの図である。図13は、周波数領域において連続している、6個の20 MHzキャリアおよび3つの10 MHzキャリアを含む、150 MHz f-OFDMキャリアアグリゲーションフォーマットの図である。図14は、周波数領域において連続している、10個の20 MHzキャリアを含む、200 MHz f-OFDMキャリアアグリゲーションフォーマットの図である。実施形態のf-OFDMキャリアアグリゲーションフォーマットは、事前に定義されたキャリアの任意の組合せを含んでよい。例えば、50 MHz f-OFDMキャリアアグリゲーションフォーマットは、2個の20 MHzの帯域幅を10 MHzの帯域幅と集約してよい。実施形態はまた、40 MHzキャリア等の、異なる帯域幅および/またはnumerologyを持つキャリアであってもよい。いくつかの実施形態では、f-OFDMキャリアアグリゲーションは、同じnumerologyを有する複数のキャリアを集約することによって実現される。
【００２８】
図15は、ミリメートル波（mmW）通信システムのための事前に定義されたキャリアタイプのセット1500の図である。この例では、事前に定義されたキャリアタイプのセット1500は、1 GHzの帯域幅を持つ第1のmmWキャリアタイプ（Type-1）および2 GHzの帯域幅を持つ第2のmmWキャリアタイプ（Type-2）を含む。位相ノイズは、mmWバンド内のサブキャリア間隔を決定するために使用されるファクタであり得る。600 KHzおよび10 MHz間のサブキャリア間隔は、6 GHzおよび100 GHz間のmmWバンドおよび/または周波数サブバンドのために使用されてよい。実施形態では、スケーラブルなサブキャリア間隔は、6 GHzおよび28 GHz間の周波数サブバンドのための1.2 MHzサブキャリア間隔、28 GHzおよび50 GHz間の周波数サブバンドのための4.8 MHzサブキャリア間隔および50 GHzおよび100 GHz間の周波数サブバンドのための9.6 MHzサブキャリア間隔を使用することによって実現される。他の例もまた可能である。事前に定義されたキャリアタイプのセット1500のためのnumerologyが表3に列挙される。
【００２９】
【表３】
0006584522.tif 000004
【００３０】
いくつかの実施形態では、mmWキャリアタイプは、図15に示されるmmWキャリアタイプよりも小さい帯域幅を有する周波数サブバンドに分解される。図16は、mmW通信システムのための事前に定義された周波数サブバンドタイプのセット1600の図である。この例では、事前に定義された周波数サブバンドタイプのセット1600は、200 MHzの帯域幅を持つ第1のmmWサブバンドタイプ（Type-1）、400 MHzの帯域幅を持つ第2のmmWサブバンドタイプ（Type-2）および800 MHzの帯域幅を持つ第3のmmWサブバンドタイプ（Type-3）を含む。事前に定義された周波数サブバンドタイプのセット1600のためのnumerologyが、表4に列挙される。
【００３１】
【表４】
0006584522.tif 000005
【００３２】
表2-4に列挙されるnumerologyおよびサブバンド帯域幅は例として提供されていること、および、本開示の実施形態は、これらの表に明白に列挙されていないnumerologyおよび/またはサブバンド帯域幅を使用してよいことは理解されるべきである。帯域幅は2つのサブバンドに分解されることができ、その各々は、異なるnumerologyを適用することができることもまた理解されるべきである。
【００３３】
図17-18は、図16に示される事前に定義されたサブバンドタイプのセット1600から生成される様々なf-OFDMキャリアアグリゲーションフォーマットの図である。図17は、5個の400 MHzサブバンドを含む2 GHz f-OFDMサブバンドアグリゲーションフォーマットの図である。図18は、4個の400 MHzサブバンドおよび2個の200 MHzサブバンドを含む2 GHz f-OFDMサブバンドアグリゲーションフォーマットの図である。
【００３４】
いくつかのミリメートル波通信システムでは、numerologyは、サブキャリア間隔に基づいてよい。このような例のためのnumerologyが表5に列挙される。
【００３５】
【表５】
0006584522.tif 000006
【００３６】
図19は、本明細書で記載された方法を実行するための実施形態の処理システム1900のブロック図であり、これは、ホストデバイスにインストールされてよい。示されるように、処理システム1900は、プロセッサ1904、メモリ1906およびインタフェース1910-1914を含み、これらは図19に示されるように配置されてよい（されなくてもよい）。プロセッサ1904は、計算および/または他の処理関連タスクを実行するように適合される任意のコンポーネントまたはコンポーネントの集合であってよく、メモリ1906は、プロセッサ1904による実行のためのプログラムおよび/または命令を記憶するように適合される任意のコンポーネントまたはコンポーネントの集合であってよい。実施形態では、メモリ1906は、非一時的なコンピュータ可読媒体を含む。インタフェース1910、1912、1914は、処理システム1900が、他のデバイス/コンポーネントおよび/またはユーザと通信することを可能にする任意のコンポーネントまたはコンポーネントの集合であってよい。例えば、インタフェース1910、1912、1914の1つまたは複数は、プロセッサ1904から、ホストデバイスおよび/またはリモートデバイス上にインストールされたアプリケーションに、データ、制御または管理メッセージを通信するように適合されてよい。別の例として、インタフェース1910、1912、1914の1つまたは複数は、ユーザまたはユーザデバイス（例えば、パーソナルコンピュータ（PC）等）が、処理システム1900と対話/通信することを可能にするように適合されてよい。処理システム1900は、ロングタームストレージ（例えば、不揮発性メモリ等）等の、図19に描かれていない追加のコンポーネントを含んでよい。
【００３７】
いくつかの実施形態では、処理システム1900は、電気通信ネットワークにアクセスしているか、または、そうでなければその一部である、ネットワークデバイスに含まれる。1つの例では、処理システム1900は、基地局、中継局、スケジューラ、コントローラ、ゲートウェイ、ルータ、アプリケーションサーバまたは電気通信ネットワーク内の任意の他のデバイス等の、無線または有線電気通信ネットワーク内のネットワーク側デバイス内にある。他の実施形態では、処理システム1900は、モバイル局、ユーザ機器（UE）、パーソナルコンピュータ（PC）、タブレット、ウェアラブル通信デバイス（例えば、スマートウォッチ等）または電気通信ネットワークにアクセスするように適合される任意の他のデバイス等の、無線または有線電気通信ネットワークにアクセスするユーザ側デバイス内にある。
【００３８】
いくつかの実施形態では、インタフェース1910、1912、1914の1つまたは複数は、処理システム1900を、電気通信ネットワークを介してシグナリングを送信および受信するように適合されるトランシーバに接続する。図20は、電気通信ネットワークを介してシグナリングを送信および受信するように適合されるトランシーバ2000のブロック図である。トランシーバ2000は、ホストデバイス内にインストールされてよい。示されるように、トランシーバ2000は、ネットワーク側インタフェース2002、カプラ2004、送信機2006、受信機2008、信号プロセッサ2010およびデバイス側インタフェース2012を含む。ネットワーク側インタフェース2002は、無線または有線電気通信ネットワークを介してシグナリングを送信または受信するように適合される任意のコンポーネントまたはコンポーネントの集合を含んでよい。カプラ2004は、ネットワーク側インタフェース2002を介した双方向通信を容易にするように適合される任意のコンポーネントまたはコンポーネントの集合を含んでよい。送信機2006は、ネットワーク側インタフェース2002を介した送信に適した変調されたキャリア信号にベースバンド信号を変換するように適合される任意のコンポーネントまたはコンポーネントの集合（例えば、アップコンバータ、電力増幅器等）を含んでよい。受信機2008は、ネットワーク側インタフェース2002を介して受信されるキャリア信号をベースバンド信号に変換するように適合される任意のコンポーネントまたはコンポーネントの集合（例えば、ダウンコンバータ、低雑音増幅器等）を含んでよい。信号プロセッサ2010は、ベースバンド信号を、デバイス側インタフェース2012を介した通信に適したデータ信号に変換、またはその逆をすることに適した任意のコンポーネントまたはコンポーネントの集合を含んでよい。デバイス側インタフェース2012は、信号プロセッサ2010とホストデバイス内のコンポーネント（例えば、処理システム1900、ローカルエリアネットワーク（LAN）ポート等）との間のデータ信号を通信するように適合される任意のコンポーネントまたはコンポーネントの集合を含んでよい。
【００３９】
トランシーバ2000は、任意のタイプの通信媒体を介してシグナリングを送信および受信してよい。いくつかの実施形態では、トランシーバ2000は、無線媒体を介してシグナリングを送信および受信する。例えば、トランシーバ2000は、セルラプロトコル（例えば、ロングタームエボリューション（LTE）等）、無線ローカルエリアネットワーク（WLAN）プロトコル（例えば、Wi-Fi等）、または、任意の他のタイプの無線プロトコル（例えば、ブルートゥース（登録商標）、近距離通信（NFC）等）等の、無線電気通信プロトコルに従って通信するように適合される無線トランシーバであってよい。このような実施形態では、ネットワーク側インタフェース2002は、1つまたは複数のアンテナ/放射要素を含む。例えば、ネットワーク側インタフェース2002は、例えば、単一入力多出力（SIMO）、多入力単一出力（MISO）、多入力多出力（MIMO）等のマルチレイヤ通信用に構成される単一のアンテナ、複数の別個のアンテナまたはマルチアンテナアレイを含んでよい。他の実施形態では、トランシーバ1900は、無線媒体、例えば、ツイストペアケーブル、同軸ケーブル、光ファイバ等を介して、シグナリングを送信および受信する。具体的な処理システムおよび/またはトランシーバは、示されるコンポーネントの全てを利用してよく、または、コンポーネントのサブセットのみを利用してよく、且つ、統合のレベルはデバイス毎に変化し得る。
【００４０】
発明の例に従って、キャリア帯域幅拡張のためのシステムおよび方法が開示される。
【００４１】
例１：信号を送信するための方法であって、方法は、
送信ポイントによって、キャリアの第1の周波数サブバンドを介して、第1の直交周波数分割多重（OFDM）ベースの信号を送信し、キャリアの第2の周波数サブバンドを介して、第2のOFDMベースの信号を送信するステップを含み、
第1の周波数サブバンドは、第1の帯域幅および第1の帯域幅に基づく第1のnumerologyを有し、
第2の周波数サブバンドは、第2の帯域幅および第2の帯域幅に基づく第2のnumerologyを有する、方法。
【００４２】
例２：第1のnumerologyは、第2のnumerologyとは異なる、例１に記載の方法。
【００４３】
例３：第1のOFDMベースの信号および第2のOFDMベースの信号は、フィルタリングされた直交周波数分割多重化（f-OFDM）信号である、例１に記載の方法。
【００４４】
例４：第1のOFDMベースの信号に関連付けられた第1のフィルタは、少なくとも第1の周波数サブバンドを含み、且つ、第2のOFDMベースの信号に関連付けられた第2のフィルタは、少なくとも第2の周波数サブバンドを含む、例３に記載の方法。
【００４５】
例５：第1のOFDMベースの信号および第2のOFDMベースの信号は、シングルキャリア周波数分割多元接続（SC-FDMA）信号である、例１に記載の方法。
【００４６】
例６：キャリアの第1の周波数サブバンドを介して、第1のOFDMベースの信号を送信し、キャリアの第2の周波数サブバンドを介して、第2のOFDMベースの信号を送信するステップは、
キャリアの第1の周波数サブバンドを介して、第1のOFDMベースのシンボルを送信し、キャリアの第2の周波数サブバンドを介して、第2のOFDMベースのシンボルを送信するステップであって、第1のOFDMベースのシンボルは、第2のOFDMベースのシンボルと同じ期間中に通信される、ステップを含む、例１に記載の方法。
【００４７】
例７：第1のOFDMベースの信号が、第2のOFDMベースの信号とは異なる少なくとも1つの物理層パラメータに従って通信されるように、第1の周波数バンドの第1のnumerologyは、第2の周波数バンドの第2のnumerologyとは異なる、例１に記載の方法。
【００４８】
例８：第1のOFDMベースの信号は、第2のOFDMベースの信号とは異なる送信時間間隔（TTI）に従って通信される、例７に記載の方法。
【００４９】
例９：第1のOFDMベースの信号は、第2のOFDMベースの信号によって搬送されるシンボルとは異なるシンボル持続時間を有するシンボルを搬送する、例７に記載の方法。
【００５０】
例１０：第1のOFDMベースの信号は、第2のOFDMベースの信号によって搬送されるシンボルとは異なるサイクリックプレフィックス（CP）長を有するシンボルを搬送する、例７に記載の方法。
【００５１】
例１１：第1のOFDMベースの信号および第2のOFDMベースの信号は、互いに異なるサブキャリア間隔を有するサブキャリアを介して通信される、例７に記載の方法。
【００５２】
例１２：第1の周波数バンドおよび第2の周波数バンドのnumerologyは、それぞれの周波数バンドの帯域幅に基づき、第1の周波数バンドは、第2の周波数バンドとは異なる帯域幅を有する、例７に記載の方法。
【００５３】
例１３：第1の周波数バンドおよび第2の周波数バンドは、同じ帯域幅を有する、例７に記載の方法。
【００５４】
例１４：第1の周波数バンドおよび第2の周波数バンドは、第1の周波数バンドおよび第2の周波数バンドのうちの1つのサブキャリア間隔の20倍以下のガードバンドによって分離される、例１に記載の方法。
【００５５】
例１５：ガードバンドは、第1の周波数バンドおよび第2の周波数バンドのうちの1つのサブキャリア間隔の10倍以下である、例１４に記載の方法。
【００５６】
例１６：ガードバンドは、第1の周波数バンドおよび第2の周波数バンドのうちの1つのサブキャリア間隔の5倍以下である、例１４に記載の方法。
【００５７】
例１７：ガードバンドは、第1の周波数バンドおよび第2の周波数バンドのうちの1つのサブキャリア間隔の3倍以下である、例１４に記載の方法。
【００５８】
例１８：ガードバンドは、第1の周波数バンドおよび第2の周波数バンドのうちの1つのサブキャリア間隔と等しい、例１４に記載の方法。
【００５９】
例１９：第1の周波数バンドおよび第2の周波数バンドがガードバンドによって分離されないように、第1の周波数バンドおよび第2の周波数バンドは、周波数領域において連続している、例１に記載の方法。
【００６０】
例２０：第1の周波数バンドおよび第2の周波数バンドは、異なる帯域幅を有する、例１９に記載の方法。
【００６１】
例２１：方法は、第1のOFDMベースの信号および第2のOFDMベースの信号を送信する前に、第1のOFDMベースの信号および第2のOFDMベースの信号を、第1の周波数バンドおよび第2の周波数バンドの両方に及ぶ1つの信号に集約するステップをさらに含む、例１に記載の方法。
【００６２】
例２２：周波数バンドの帯域幅は、40メガヘルツ（MHz）以上である、例２１に記載の方法。
【００６３】
例２３：プロセッサと、
プロセッサによる実行のためのプログラムを記憶するコンピュータ可読記憶媒体とを含む送信ポイントであって、プログラムは、
キャリアの第1の周波数サブバンドを介して、第1の直交周波数分割多重（OFDM）ベースの信号を送信し、キャリアの第2の周波数サブバンドを介して、第2のOFDMベースの信号を送信するための命令を含み、
第1の周波数サブバンドは、第1の帯域幅および第1の帯域幅に基づく第1のnumerologyを有し、
第2の周波数サブバンドは、第2の帯域幅および第2の帯域幅に基づく第2のnumerologyを有する、送信ポイント。
【００６４】
例２４：信号を受信するための方法であって、方法は、
受信ポイントによって、キャリアの第1の周波数サブバンドを介して、第1の直交周波数分割多重（OFDM）ベースの信号を受信し、キャリアの第2の周波数サブバンドを介して、第2のOFDMベースの信号を受信するステップを含み、第1の周波数サブバンドは、第1の帯域幅および第1の帯域幅に基づく第1のnumerologyを有し、第2の周波数サブバンドは、第2の帯域幅および第2の帯域幅に基づく第2のnumerologyを有する、方法。
【００６５】
例２５：第1のnumerologyは、第2のnumerologyとは異なる、例２４に記載の方法。
【００６６】
例２６：第1のOFDMベースの信号および第2のOFDMベースの信号は、フィルタリングされた直交周波数分割多重化（f-OFDM）信号である、例２４に記載の方法。
【００６７】
例２７：第1のOFDMベースの信号に関連付けられた第1のフィルタは、少なくとも第1の周波数サブバンドを含み、且つ、第2のOFDMベースの信号に関連付けられた第2のフィルタは、少なくとも第2の周波数サブバンドを含む、例２６に記載の方法。
【００６８】
例２８：第1のOFDMベースの信号および第2のOFDMベースの信号は、シングルキャリア周波数分割多元接続（SC-FDMA）信号である、例２４に記載の方法。
【００６９】
例２９：キャリアの第1の周波数サブバンドを介して、第1のOFDMベースの信号を受信し、キャリアの第2の周波数サブバンドを介して、第2のOFDMベースの信号を受信するステップは、
キャリアの第1の周波数サブバンドを介して、第1のOFDMベースのシンボルを受信し、キャリアの第2の周波数サブバンドを介して、第2のOFDMベースのシンボルを受信するステップであって、第1のOFDMベースのシンボルは、第2のOFDMベースのシンボルと同じ期間中に通信される、ステップを含む、例２４に記載の方法。
【００７０】
例３０：第1のOFDMベースの信号が、第2のOFDMベースの信号とは異なる少なくとも1つの物理層パラメータに従って通信されるように、第1の周波数バンドの第1のnumerologyは、第2の周波数バンドの第2のnumerologyとは異なる、例２４に記載の方法。
【００７１】
例３１：第1のOFDMベースの信号は、第2のOFDMベースの信号とは異なる送信時間間隔（TTI）に従って通信される、例３０に記載の方法。
【００７２】
例３２：第1のOFDMベースの信号は、第2のOFDMベースの信号によって搬送されるシンボルとは異なるシンボル持続時間を有するシンボルを搬送する、例３０に記載の方法。
【００７３】
例３３：第1のOFDMベースの信号は、第2のOFDMベースの信号によって搬送されるシンボルとは異なるサイクリックプレフィックス（CP）長を有するシンボルを搬送する、例３０に記載の方法。
【００７４】
例３４：第1のOFDMベースの信号および第2のOFDMベースの信号は、互いに異なるサブキャリア間隔を有するサブキャリアを介して通信される、例３０に記載の方法。
【００７５】
例３５：第1の周波数バンドおよび第2の周波数バンドのnumerologyは、それぞれの周波数バンドの帯域幅に基づき、第1の周波数バンドは、第2の周波数バンドとは異なる帯域幅を有する、例３０に記載の方法。
【００７６】
例３６：第1の周波数バンドおよび第2の周波数バンドは、同じ帯域幅を有する、例３０に記載の方法。
【００７７】
例３７：第1の周波数バンドおよび第2の周波数バンドは、第1の周波数バンドおよび第2の周波数バンドのうちの1つのサブキャリア間隔の20倍以下のガードバンドによって分離される、例２４に記載の方法。
【００７８】
例３８：ガードバンドは、第1の周波数バンドおよび第2の周波数バンドのうちの1つのサブキャリア間隔の10倍以下である、例３７に記載の方法。
【００７９】
例３９：ガードバンドは、第1の周波数バンドおよび第2の周波数バンドのうちの1つのサブキャリア間隔の5倍以下である、例３７に記載の方法。
【００８０】
例４０：ガードバンドは、第1の周波数バンドおよび第2の周波数バンドのうちの1つのサブキャリア間隔の3倍以下である、例３７に記載の方法。
【００８１】
例４１：ガードバンドは、第1の周波数バンドおよび第2の周波数バンドのうちの1つのサブキャリア間隔と等しい、例３７に記載の方法。
【００８２】
例４２：第1の周波数バンドおよび第2の周波数バンドがガードバンドによって分離されないように、第1の周波数バンドおよび第2の周波数バンドは、周波数領域において連続している、例２４に記載の方法。
【００８３】
例４３：第1の周波数バンドおよび第2の周波数バンドは、異なる帯域幅を有する、例４２に記載の方法。
【００８４】
例４４：周波数バンドの帯域幅は、40メガヘルツ（MHz）以上である、例４２に記載の方法。
【００８５】
例４５：プロセッサと、
プロセッサによる実行のためのプログラムを記憶するコンピュータ可読記憶媒体とを含む受信ポイントであって、プログラムは、
キャリアの第1の周波数サブバンドを介して、第1の直交周波数分割多重（OFDM）ベースの信号を受信し、キャリアの第2の周波数サブバンドを介して、第2のOFDMベースの信号を受信するための命令を含み、第1の周波数サブバンドは、第1の帯域幅および第1の帯域幅に基づく第1のnumerologyを有し、第2の周波数サブバンドは、第2の帯域幅および第2の帯域幅に基づく第2のnumerologyを有する、受信ポイント。
【００８６】
本発明は例示的な実施形態を参照して説明されたが、この説明は、限定的意味において解釈されるようには意図されない。例示的な実施形態の様々な変更および組合せ、並びに発明の他の実施形態は、説明を参照すると、当業者には明らかである。従って、添付の特許請求の範囲は、任意のこのような変更または実施形態を包含すると意図される。
【符号の説明】
【００８７】
130  バックホールネットワーク
201  f-OFDMフィルタ
202  f-OFDMフィルタ
301  f-OFDMフィルタ
302  f-OFDMフィルタ
1904  プロセッサ
1906  メモリ
1910  インタフェース
1912  インタフェース
1914  インタフェース
2002  ネットワーク側インタフェース
2004  カプラ
2006  送信機
2008  受信機
2010  信号プロセッサ
2012  デバイス側インタフェース
【図１】
0006584522.tif 000007
【図２Ａ】
0006584522.tif 000008
【図２Ｂ】
0006584522.tif 000009
【図３Ａ】
0006584522.tif 000010
【図３Ｂ】
0006584522.tif 000011
【図４】
0006584522.tif 000012
【図５】
0006584522.tif 000013
【図６】
0006584522.tif 000014
【図７】
0006584522.tif 000015
【図８】
0006584522.tif 000016
【図９】
0006584522.tif 000017
【図１０】
0006584522.tif 000018
【図１１】
0006584522.tif 000019
【図１２】
0006584522.tif 000020
【図１３】
0006584522.tif 000021
【図１４】
0006584522.tif 000022
【図１５】
0006584522.tif 000023
【図１６】
0006584522.tif 000024
【図１７】
0006584522.tif 000025
【図１８】
0006584522.tif 000026
【図１９】
0006584522.tif 000027
【図２０】
0006584522.tif 000028